(57)【要約】【課題】中枠を用いずに、時計全体の小型化を図ると共に、正確に且つ確実に時計モジュールを腕時計ケース内に位置決めできる時計装置を提供する。【解決手段】腕時計ケース１内に時計モジュール３を収納するときに、腕時計ケース１の内周面に設けられた第１位置決め凹部１６と、時計モジュール３のハウジング７の外周面に設けられた第２位置決め凹部１７とを対応させ、この状態で時計モジュール３の下面側に押え部材４を配置して時計モジュール３を腕時計ケース１内に押えると共に、位置規制ピン１４を第１位置決め凹部１６と第２位置決め凹部１７との両者に跨って挿入する。従って、時計モジュール３が腕時計ケース１内でその内周面に沿って回転するのを位置規制ピン１４で阻止できるので、時計モジュール３を腕時計ケース１内に位置決めできる。また、中枠を用いていないため、その分、時計モジュール３の外径を小さくでき、時計全体の小型化が図れる。【選択図】図１
2010237229.tif 000002
【特許請求の範囲】
【請求項１】
内周面の少なくとも一箇所に第１位置決め凹部が設けられた時計ケースと、
この時計ケース内に収納されるハウジングの外周面に第２位置決め凹部が前記時計ケースの前記第１位置決め凹部に対応して設けられた時計モジュールと、
この時計モジュールの下面側に配置されて前記時計モジュールを前記時計ケース内に押える押え部材と、
前記時計ケースの前記第１位置決め凹部と前記時計モジュールの前記第２位置決め凹部との両者に跨って挿入して前記時計ケースに対する前記時計モジュールの位置決めをする位置規制部と
を備えたことを特徴とする時計装置。
【請求項２】
前記押え部材は、前記時計モジュールの下面外周に沿うほぼリング形状に形成され、その所定箇所に前記位置規制部が一体に形成されていることを特徴とする請求項１に記載の時計装置。
【請求項３】
前記位置規制部は、前記時計ケースおよび前記時計モジュールの前記ハウジングよりも軟らかい材料で、且つ滑り性を有する材料で形成されていることを特徴とする請求項１または２に記載の時計装置。
【請求項４】
前記押え部材には、前記位置規制部のほかに、前記時計ケースに対する前記時計モジュールの横振れを阻止する振れ止め部が設けられていることを請求項１〜３のいずれかに記載の時計装置。
【請求項５】
前記時計モジュールはアンテナを備えていることを特徴とする請求項１〜４のいずれかに記載の時計装置。
【請求項６】
前記アンテナは、前記時計モジュールの所定位置に設けられていることを特徴とする請求項５に記載の時計装置。
【請求項７】
前記押え部材には前記アンテナに対応する開口部が設けられ、この開口部内には磁気シートが配置されていることを特徴とする請求項５または６に記載の時計装置。
【発明の詳細な説明】
【技術分野】
【０００１】
この発明は、腕時計や懐中時計、置き時計などの各種の時計装置に関し、更に詳しくは指針を運針させて時刻を指示する指針式の時計装置に関する。
【背景技術】
【０００２】
例えば、指針式の腕時計においては、腕時計ケース内に組み込まれる時計モジュールが、アナログムーブメントなどの時計機能に必要な各種の部品を搭載するハウジングを備え、このハウジングを時計ケース内に組み込むことにより、アナログムーブメントが時針、分針などの指針を運針させて時刻を指示するように構成されている。
【０００３】
このような指針式の腕時計においては、特許文献１に記載れているように、アナログムーブメントによって指示される時刻をリューズで修正すると共に、このリューズを腕時計ケースの外部からハウジング内のアナログムーブメントに挿入することにより、このリューズによって時計モジュールを腕時計ケース内に位置決めするように構成されている。
【先行技術文献】
【特許文献】
【０００４】
【特許文献１】実開平８−３１３６５１号
【発明の概要】
【発明が解決しようとする課題】
【０００５】
しかしながら、このような従来の指針式の腕時計では、リューズによって時計モジュールを腕時計ケース内に位置決めしているため、リューズを用いない指針式時計、例えば標準時刻の電波を受信して時刻を自動的に修正する指針式の電波時計には適用することができない。すなわち、このような電波時計では、リューズに代えて押釦スイッチを用いており、この押釦スイッチは腕時計ケースに出没自在に取り付けられて時計モジュールの外周面に設けられた接点部に接触する構成であるから、時計モジュールを腕時計ケース内に位置決めすることができない。
【０００６】
このため、このような指針式の電波時計では、時計モジュールのハウジングの外周部に中枠を設け、この中枠の下端内周部に複数の押え突起部を設けて、時計モジュールの下面側を押える共に、この中枠の外周面に複数の位置決め凸部を設け、この複数の位置決め凸部を腕時計ケースの内周面に設けられた複数の位置決め凹部にそれぞれ嵌合させることにより、時計モジュールを腕時計ケース内に位置決めしているが、このような構造では、中枠によって時計モジュール全体の外径が大きくなり、これに伴って腕時計ケースも大きくなるという問題がある。
【０００７】
この発明が解決しようとする課題は、中枠を用いずに、時計全体の小型化を図ると共に、正確に且つ確実に時計モジュールを腕時計ケース内に位置決めすることができる時計装置を提供することである。
【課題を解決するための手段】
【０００８】
この発明は、上記課題を解決するために、次のような構成要素を備えている。
なお、各構成要素には、後述する実施形態の項で説明される各要素に付されている図面の参照番号などを括弧と共に付す。
【０００９】
請求項１に記載の発明は、図１〜図７に示すように、内周面の少なくとも一箇所に第１位置決め凹部（１６）が設けられた時計ケース（腕時計ケース１）と、この時計ケース内に収納されるハウジング（７）の外周面に第２位置決め凹部（１７）が前記時計ケースの前記第１位置決め凹部に対応して設けられた時計モジュール（３）と、この時計モジュールの下面側に配置されて前記時計モジュールを前記時計ケース内に押える押え部材（４）と、前記時計ケースの前記第１位置決め凹部と前記時計モジュールの前記第２位置決め凹部との両者に跨って挿入して前記時計ケースに対する前記時計モジュールの位置決めをする位置規制部（位置規制ピン１４、２０）とを備えたことを特徴とする時計装置である。
【００１０】
請求項２に記載の発明は、図１〜図６に示すように、前記押え部材（４）が、前記時計モジュール（３）の下面外周に沿うほぼリング形状に形成され、その所定箇所に前記位置規制部（位置規制ピン１４）が一体に形成されていることを特徴とする請求項１に記載の時計装置である。
【００１１】
請求項３に記載の発明は、図１〜図７に示すように、前記位置規制部（位置規制ピン１４、２０）が、前記時計ケース（腕時計ケース１）および前記時計モジュール（３）の前記ハウジング（７）よりも軟らかい材料で、且つ滑り性を有する材料で形成されていることを特徴とする請求項１または２に記載の時計装置である。
【００１２】
請求項４に記載の発明は、図１〜図６に示すように、前記押え部材（４）に、前記位置規制部（位置規制ピン１４）のほか、前記時計ケース（腕時計ケース１）に対する前記時計モジュール（３）の横振れを阻止する振れ止め部（振れ止め突起１５）が設けられていることを特徴とする請求項１〜３のいずれかに記載の時計装置である。
【００１３】
請求項５に記載の発明は、図１〜図７に示すように、前記時計モジュール（３）がアンテナ（９）を備えていることを特徴とする請求項１〜４のいずれかに記載の時計装置である。
【００１４】
請求項６に記載の発明は、図１〜図７に示すように、前記アンテナ（９）が前記時計モジュール（３）の所定位置に設けられていることを特徴とする請求項５に記載の時計装置である。
【００１５】
請求項７に記載の発明は、図１〜図７に示すように、前記押え部材（４）には前記アンテナ（９）に対応する開口部（４ａ）が設けられ、この開口部内には磁気シート（１８）が配置されていることを特徴とする請求項５または６に記載の時計装置である。
【発明の効果】
【００１６】
請求項１に記載の発明によれば、時計ケース内に時計モジュールを収納するときに、時計ケースの内周面の少なくとも一箇所に設けられた第１位置決め凹部と、時計モジュールのハウジングの外周面に設けられた第２位置決め凹部とを対応させ、この状態で時計モジュールの下面側に押え部材を配置して時計モジュールを時計ケース内に押えると共に、位置規制部を時計ケースの第１位置決め凹部と時計モジュールの第２位置決め凹部との両者に跨って挿入することにより、中枠を用いずに、時計モジュールを時計ケース内に位置決めすることができる。
【００１７】
すなわち、位置規制部が時計ケースの第１位置決め凹部と時計モジュールの第２位置決め凹部との両者に跨って挿入することにより、時計モジュールが時計ケース内でその内周面に沿って回転するのを阻止することができる。これにより、時計モジュールを時計ケース内の所定位置に確実に位置決めすることができると共に、中枠を用いていないため、その分、時計モジュールの外径を小さくすることができ、これに伴って時計ケースも小さくすることができるので、時計全体の小型化を図ることができる。
【００１８】
この場合、例えば時計ケースの内周面の複数箇所、好ましくは３箇所に第１位置決め凹部をそれぞれ設け、時計モジュールのハウジングの外周面における複数箇所に、第２位置決め凹部を複数の第１位置決め凹部にそれぞれ対応させて設け、この状態で互いに対応する複数の第１、第２位置決め凹部の内部に位置規制部をそれぞれ挿入させれば、この挿入された複数の位置規制部によって時計モジュールが時計ケース内でその内周面に沿って回転するのを阻止することができると共に、時計モジュールが時計ケース内で横振れによってガタつくのを確実に防ぐことができ、これにより正確に且つ確実に時計モジュールを時計ケース内に位置決めすることができる。
【００１９】
請求項２に記載の発明によれば、押え部材が時計モジュールの下面外周に沿うほぼリング形状に形成されことにより、この押え部材によって時計モジュールを安定した状態で確実に且つ良好に時計ケース内に押え付けることができるほか、特に押え部材の所定箇所に位置規制部が一体に形成されていることにより、位置規制部を備えていても、部品点数の増加を抑えることができると共に、押え部材を組み付けるときに、これと同時に位置規制部をも組み込むことができるので、組立作業の簡素化をも図ることができる。
【００２０】
請求項３に記載の発明によれば、位置規制部が時計ケースおよび時計モジュールのハウジングよりも軟らかい材料で、且つ滑り性を有する材料で形成されていることにより、時計ケースの第１位置決め凹部と時計モジュールの第２位置決め凹部との両者に跨って位置規制部を円滑に且つ確実に挿入させることができ、これにより時計モジュールを時計ケース内の所定位置に正確に位置決めすることができると共に、組立作業性の向上をも図ることができる。
【００２１】
請求項４に記載の発明によれば、押え部材に、位置規制部のほか、時計ケースに対する時計モジュールの横振れを阻止する振れ止め部が設けられているので、押え部材の一箇所に位置規制部を設けただけでも、この位置規制部によって時計モジュールが時計ケース内でその内周面に沿って回転しないように位置決めすることができるほか、特に振れ止め部によって時計モジュールが時計ケース内で位置規制部を中心に横振れするガタつきを阻止することができ、これにより時計モジュールを常に正確な位置に固定することができる。
【００２２】
請求項５に記載の発明によれば、時計モジュールがアンテナを備えていることにより、標準時刻電波を受信して自動的に時刻を修正することができ、これにより正確な時刻を指示することができる。この場合には、時計モジュールを時計ケース内に正確に位置決めしなければ、正確な時刻を指示することができないが、位置規制部によって時計モジュールが時計ケース内の正確な位置に位置決めされていることにより、常に正確な時刻を指示することができる。
【００２３】
請求項６に記載の発明によれば、アンテナが時計モジュールの所定位置に設けられていることにより、時計モジュールを時計ケース内に組み込んだ際に、位置規制部によって時計モジュールが時計ケース内の正確な位置に位置決めされるので、アンテナを時計ケース内の所定位置に正確に配置することができる。これにより、アンテナの受信性能が影響を受け難い最適な位置にアンテナを配置することができるので、アンテナの受信性能を高めることができ、標準時刻電波を良好に受信することができる。
【００２４】
請求項７に記載の発明によれば、押え部材にアンテナと対応する開口部が設けられ、この開口部内に磁気シートが配置されていることにより、押え部材の下側に金属製の裏蓋が配置されていても、磁気シートによって裏蓋の影響を受けずに良好に標準時刻電波を受信することができると共に、磁気シートを押え部材の開口部内に配置しているので、磁気シートを裏蓋に設けても、金属製の裏蓋をアンテナに接近させて配置することができる。このため、アンテナを備えていても、時計モジュールをコンパクトに構成することができ、これによっても時計全体の小型化を図ることができる。
【図面の簡単な説明】
【００２５】
【図１】この発明を適用した指針式の電子腕時計の拡大断面図である。
【図２】図１の指針式の電子時計の下面から裏蓋を取り外した状態の裏面図である。
【図３】図２のＡ−Ａ矢視において上下反転させた状態を示した要部の拡大断面図である。
【図４】図１の押え部材を左斜め上方から見た状態を示した拡大斜視図である。
【図５】図４の押え部材の拡大平面図である。
【図６】図５のＢ−Ｂ矢視における拡大断面図である。
【図７】位置規制ピンの変形例を示し、（ａ）はその位置規制ピンの拡大平面図、（ｂ）はその位置規制ピンの拡大正面図である。
【発明を実施するための形態】
【００２６】
（実施形態１）
以下、図１〜図６を参照して、この発明の時計装置を指針式の電子腕時計に適用した一実施形態について説明する。
図１はこの発明を適用した指針式の電子腕時計の拡大断面図、図２はその指針式の電子腕時計の下面から裏蓋を取り外した状態の裏面図、図３は図２のＡ−Ａ矢視において上下反転させた状態を示した要部の拡大断面図である。
【００２７】
この指針式の電子腕時計は、図１に示すように、上下に開放された金属製の腕時計ケース１を備えている。この腕時計ケース１の上部開放部には、時計ガラス２が取り付けられている。この腕時計ケース１の内部は、図２に示すように、円形状に形成されており、この円形状の内部には、図１に示すように、円形状の時計モジュール３が押え部材４によって押えられた状態で収納されている。また、この腕時計ケース１の下部には、図１および図３に示すように、金属製の裏蓋５が取り付けられている。
【００２８】
この場合、時計モジュール３は、合成樹脂製のハウジング７を備えている。このハウジング７は、図２に示すように、全体がほぼ円形状に形成されており、このハウジング７には、図１に示すように、アナログムーブメント８が組み込まれているほか、図２に示すように、アンテナ９、釦電池１０、および回路基板１１などの時計機能に必要な各種の部品が搭載されている。
【００２９】
アナログムーブメント８は、図１に示すように、ステップモータ（図示せず）の回転が輪列機構（図示せず）によって時針軸、分針軸、秒針軸などの指針軸１２に伝達され、この指針軸１２の回転に伴って時針、分針、秒針などの指針１３が文字板（図示せず）の上方を運針して時刻を指示するように構成されている。アンテナ９は、腕時計ケース１を腕取り付けて使用する際に、電波を受信しやすい位置、つまりハウジング７の１２時側の箇所に設けられて回路基板１１に電気的に接続され、この状態で標準時刻電波を一定時間ごとに受信するように構成されている。
【００３０】
この場合、アンテナ９に対応する裏蓋５の内面には、図１に示すように、磁気シート１８が設けられている。この磁気シート１８は、ミクロン程度の大きさの金属磁性体粉末を樹脂中に分散・混合し、シート状に形成した複合磁性体であり、この実施形態ではこの複合磁性体の外周を更に保護シートで覆ったものであり、図５に示すように、後述する押え部材４におけるアンテナ９に対応する開口部４ａとほぼ同じ大きさに形成されて、その開口部４ａ内に配置され、この状態でアンテナ９が金属製の裏蓋５の影響を受けないように構成されている。
【００３１】
すなわち、この磁気シート１８は、アンテナ９で発生した磁界の磁力線が磁気シート１８の表面だけに入り、その表面のみに渦電流が生じ、磁気シート１８の内部に入らず、磁力線が磁気シート１８の表面に沿って誘導され、その結果として磁力線が磁気シート１８を通り抜けるのを防ぐことにより、防磁効果としての機能を有し、アンテナ９で発生した磁力が金属製の裏蓋５の影響を受けないように構成されている。
【００３２】
また、釦電池１０は、図２に示すように、ハウジング７の３時と６時との間に位置する箇所に収納されて電極板１０ａによって回路基板１１に電気的に接続され、この状態で電源を回路全体に供給するように構成されている。従って、この時計モジュール３は、アンテナ９で標準時刻電波を一定時間ごとに受信し、この受信した標準時刻電波に基づいてアナログムーブメント８の動作を制御し、自動的に時刻を修正するように構成されている。
【００３３】
ところで、押え部材４は、図１および図３に示すように、時計モジュール３の下面側に配置されて裏蓋５によって押えられることにより、時計モジュール３を腕時計ケース１内に押し付けて固定するように構成されている。すなわち、この押え部材４は、合成樹脂からなり、図４および図５に示すように、時計モジュール３の下面とほぼ同じ大きさの円板状をなし、アンテナ９および釦電池１０などの電子部品に対応する複数の開口部４ａがそれぞれ設けられ、これにより全体がほぼリング状に形成されている。この場合、アンテナ９に対応する開口部４ａ内には、裏蓋５の内面に設けられた磁気シート１８が配置されている。
【００３４】
また、この押え部材４の上面には、図４〜図６に示すように、位置規制ピン１４および振れ止め突起１５が上方に向けて突出した状態で一体に形成されている。すなわち、位置規制ピン１４は、図４〜図６に示すように、全体がほぼ円柱状に形成され、その先端にテーパ部が形成された先細形状に形成され、腕時計ケース１の内周面に形成された第１位置決め凹部１６とハウジング７の外周面に形成された第２位置決め凹部１７との両者に跨って挿入することにより、時計モジュール３が腕時計ケース１内でその内周面に沿って回転するのを阻止し、これにより時計モジュール３を腕時計ケース１内に位置決めするように構成されている。
【００３５】
この場合、腕時計ケース１の第１位置決め凹部１６は、図１〜図３に示すように、断面が半円形状の溝であり、腕時計ケース１の内周面における１時付近にその下端部から上部に向けて形成されている。また、ハウジング７の第２位置決め凹部１７も、図１〜図３に示すように、断面が半円形状の溝であり、腕時計ケース１の第１位置決め凹部１６に対応するハウジング７の外周面にその下端部から上部に向けて形成されている。これにより、第１、第２位置決め凹部１６、１７は、図１〜図３に示すように、腕時計ケース１内に時計モジュール３が挿入されたときに、互いに対応してほぼ円柱形の位置決め穴を形成するように構成されている。
【００３６】
また、この位置規制ピン１４は、腕時計ケース１およびハウジング７よりも軟らかい材料で、且つ滑り性を有する材料で形成されている。すなわち、腕時計ケース１は金属で形成されており、ハウジング７は硬質のポリエーテルイミド樹脂（ＰＥＩ樹脂）で形成されている。これに対して、位置規制ピン１４は滑り性が良く、ハウジング７よりも軟らかいポリアセタール樹脂で形成されている。この場合、押え部材４は、位置規制ピン１４と同じ材料で一体成形した構成であることが望ましいが、位置規制ピン１４と異なる材質の合成樹脂で２色成形によって一体形成しても良い。
【００３７】
一方、振れ止め突起１５は、図５および図６に示すように、全体が起立したほぼ薄板状をなし、位置規制ピン１４と同じ材料で押え部材４に一体に形成されて上方に突出し、押え部材４が時計モジュー３の下面に配置されたときに、腕時計ケース１の内周面とハウジング７の外周面との間に挿入し、これにより時計モジュール３が腕時計ケース１内で位置規制ピン１４を中心に横振れによってガタつくのを阻止するように構成されている。この場合、振れ止め突起１５は、図５に示すように、押え部材４の中心部を中心とし、位置規制ピン１４の両側にほぼ９０度の角度で開いた位置で、押え部材４の周縁部上にそれぞれ形成されている。
【００３８】
このような指針式の電子腕時計によれば、腕時計ケース１内に時計モジュール３を収納するときに、腕時計ケース１の内周面の所定箇所に設けられた第１位置決め凹部１６と、時計モジュール３のハウジング７の外周面に設けられた第２位置決め凹部１７とを対応させ、この状態で時計モジュール３の下面側に押え部材４を配置して裏蓋５で押えることにより、時計モジュール３を腕時計ケース１内に押えると共に、位置規制ピン１４を腕時計ケース１の第１位置決め凹部１６と時計モジュール３の第２位置決め凹部１７との両者に跨って挿入することにより、時計モジュール３を腕時計ケース１内に位置決めすることができる。
【００３９】
すなわち、位置規制ピン１４が腕時計ケース１の第１位置決め凹部１６と時計モジュール３の第２位置決め凹部１７との両者に跨って挿入することにより、時計モジュール３が腕時計ケース１内でその内周面に沿って回転するのを阻止することができる。このため、従来例のような中枠を用いずに、時計モジュール３を腕時計ケース１内の所定位置に位置決めすることができると共に、従来例のような中枠を用いていないため、その分、時計モジュール３の外径を１ｍｍ前後小さくすることができ、これに伴って腕時計ケース１も小さくすることができるので、時計全体の小型化を図ることができる。
【００４０】
この場合、特に押え部材４には、位置規制ピン１４のほか、腕時計ケース１に対する時計モジュール３の横振れを阻止する振れ止め突起１５が２箇所に設けられているので、押え部材４の一箇所に位置規制ピン１４を設けただけでも、この位置規制ピン１４によって時計モジュール３が腕時計ケース１内でその内周面に沿って回転しないように位置決めすることができるほか、２つの振れ止め突起１５によって時計モジュール３が腕時計ケース１内で位置規制ピン１４を中心に横振れするガタつきを阻止することができ、これにより時計モジュール３を常に腕時計ケース１内の所定位置に正確に固定することができる。
【００４１】
また、押え部材４は、時計モジュール３の下面外周に沿うほぼリング形状に形成されことにより、この押え部材４によって時計モジュール３を安定した状態で確実に且つ良好に腕時計ケース１内に押えることができるほか、特に押え部材４の所定箇所に位置規制ピン１４および振れ止め突起１５が一体に形成されていることにより、位置規制ピン１４および振れ止め突起１５を備えていても、部品点数の増加を抑えることができると共に、押え部材４を組み付けるときに、これと同時に位置規制ピン１４および振れ止め突起１５をも組み込むことができるので、組立作業の簡素化をも図ることができる。
【００４２】
さらに、この位置規制ピン１４は腕時計ケース１および時計モジュール３のハウジング７よりも軟らかい材料で、且つ滑り性を有するポリアセタール樹脂などの合成樹脂で形成されていることにより、腕時計ケース１の第１位置決め凹部１６と時計モジュール３の第２位置決め凹部１７との両者に跨って位置規制ピン１４を円滑に且つ確実に挿入させることができる。これにより、時計モジュール３を腕時計ケース１内の所定位置に正確に位置決めすることができるほか、特に位置規制ピン１４の先端が先細形状に形成されているため、円滑に位置規制ピン１４を第１、第２位置決め凹部１６、１７に挿入させることができ、これによっても組立作業性の向上を図ることができる。
【００４３】
また、この指針式の電子腕時計では、時計モジュール３がアンテナ９を備えていることにより、このアンテナ９で標準時刻電波を一定時間ごとに受信することができ、この受信した標準時刻電波に基づいて自動的に時刻を修正することができるので、正確な時刻を指示することができる。この場合には、時計モジュール３を腕時計ケース１内に正確に位置決めしなければ、正確な時刻を指示することができないが、位置規制ピン１４および振れ止め突起１５によって時計モジュール３が腕時計ケース１内の正確な位置に位置決めされているので、常に正確な時刻を指示することができる。
【００４４】
この場合、アンテナ９は時計モジュール３の所定位置つまり１２時側の箇所に設けられていることにより、時計モジュール３を腕時計ケース１内に組み込んだ際に、位置規制ピン１４および振れ止め突起１５によって時計モジュール３が腕時計ケース１内の正確な位置に位置決めされるので、アンテナ９を腕時計ケース１内の所定位置つまり１２時側の所定箇所に正確に配置することができる。これにより、アンテナ９の受信性能が影響を受け難い最適な位置にアンテナ９を配置することができるので、アンテナ９の受信性能を高めることができ、標準時刻電波を良好に受信することができる。
【００４５】
特に、押え部材４にはアンテナ９に対応する開口部４ａが設けられ、この開口部４ａ内には裏蓋５に設けられた磁気シート１８が配置されていることにより、押え部材４の下側に金属製の裏蓋５が配置されていても、磁気シート１８によって裏蓋５の影響を受けずに良好に標準時刻電波を受信することができると共に、磁気シート１８を押え部材４の開口部４ａ内に配置しているので、磁気シート１８を裏蓋５に設けても、金属製の裏蓋５をアンテナ９に接近させて配置することができる。このため、アンテナ９を備えていても、時計モジュール３をコンパクトに構成することができ、これによっても時計全体の小型化を図ることができる。
【００４６】
なお、上記実施形態では、位置規制ピン１４を押え部材４に一体に形成した場合について述べたが、必ずしも一体に形成する必要はなく、例えば図７（ａ）および図７（ｂ）に示すように、押え部材４とは別に位置規制ピン２０を形成した構成でも良い。この場合には、押え部材４を組み付ける前に、予め、位置規制ピン２０を第１、第２位置決め凹部１６、１７に挿入させて、時計モジュール３を腕時計ケース１内に位置決めすれば良い。
【００４７】
また、上記実施形態では、押え部材４の一箇所に位置規制ピン１４を設けた場合について述べたが、これに限らず、例えば押え部材４の複数箇所、好ましくは３箇所に位置規制ピン１４を設けても良い。このように構成すれば、押え部材４に振れ止め突起１５を設ける必要がなく、複数の位置規制ピン１４によって時計モジュール３を腕時計ケース１内に位置決めすることができると共に、時計モジュール３の横振れによるガタつきをも防ぐことができる。
【００４８】
さらに、上記実施形態では、指針式の電子腕時計に適用した場合について述べたが、必ずしも腕時計である必要はなく、懐中時計、トラベルウォッチ、目覚まし時計、置き時計、掛け時計などの各種の指針式の電子時計に広く適用することができる。
【符号の説明】
【００４９】
１  腕時計ケース
２  時計ガラス
３  時計モジュール
４  押え部材
４ａ  開口部
５  裏蓋
７  ハウジング
８  アナログムーブメント
９  アンテナ
１３  指針
１４、２０  位置規制ピン
１５  振れ止め突起
１６  第１位置決め凹部
１７  第２位置決め凹部
１８  磁気シート
【図１】
2010237229.tif 000003
【図２】
2010237229.tif 000004
【図３】
2010237229.tif 000005
【図４】
2010237229.tif 000006
【図５】
2010237229.tif 000007
【図６】
2010237229.tif 000008
【図７】
2010237229.tif 000009
【手続補正書】
【提出日】平成22年8月25日(2010.8.25)
【手続補正１】
【補正対象書類名】明細書
【補正対象項目名】０００４
【補正方法】変更
【補正の内容】
【０００４】
【特許文献１】特開平８−３１３６５１号
【手続補正２】
【補正対象書類名】明細書
【補正対象項目名】０００９
【補正方法】変更
【補正の内容】
【０００９】
請求項１に記載の発明は、図１〜図７に示すように、
内周面の少なくとも一箇所に第１位置決め凹部（第１位置決め凹部１６）が設けられた金属製の時計ケース（腕時計ケース１）と、
この時計ケース内に収納されたハウジング（ハウジング７）の外周面に第２位置決め凹部（第２位置決め凹部１７）が前記時計ケースの前記第１位置決め凹部に対応して設けられた時計モジュール（時計モジュール３）と、
この時計モジュールの下面側に配置されて前記時計モジュールを前記時計ケース内に押える押え部材（押え部材４）と、
この押え部材を覆い、かつ、前記金属製の時計ケースの一端開口を閉塞する金属製の裏蓋部材（裏蓋５）と、
前記時計ケースの前記第１位置決め凹部と前記時計モジュールの前記第２位置決め凹部との両者に跨って挿入して前記時計ケースに対する前記時計モジュールの位置決めをする位置規制部（位置規制ピン１４、２０）とを備え、
前記時計モジュールはアンテナ（アンテナ９）を備えており、
前記押え部材（押え部材４）のうちの前記アンテナ（アンテナ９）に対応する位置には、開口部（開口部４a）が設けられ、この開口部内には、渦電流防止用の磁気シート（磁気シート１８）が配置されていることを特徴とする時計装置である。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
請求項１に記載の発明によれば、時計ケースの内周面の少なくとも一箇所に設けられた第１位置決め凹部と、時計モジュールのハウジングの外周面に設けられた第２位置決め凹部とを対応させ、この状態で時計モジュールの下面側に押え部材を配置して時計モジュールを時計ケース内に押えると共に、位置規制部を時計ケースの第１位置決め凹部と時計モジュールの第２位置決め凹部との両者に跨って挿入することにより、中枠を用いずに、時計モジュールを時計ケース内に位置決めすることができる。
【手続補正７】
【補正対象書類名】明細書
【補正対象項目名】００１８
【補正方法】変更
【補正の内容】
【００１８】
請求項１に記載の発明によれば、そればかりでなく、時計モジュールはアンテナを備えており、押え部材のうちのアンテナに対応する位置には、開口部が設けられ、この開口部内には、渦電流防止用の磁気シートが配置されているので、押え部材の下側に金属製の裏蓋部材が配置されていても、渦電流防止用の磁気シートによって裏蓋部材の影響を受けずに良好に標準時刻電波を受信することができる一方で、渦電流防止用の磁気シートを押え部材の開口部内に配置しているので、渦電流防止用の磁気シートを裏蓋部材に設けても、金属製の裏蓋部材をアンテナに接近させて配置することができる。このため、アンテナを備えていても、時計モジュールをコンパクトに構成することができ、これによっても時計装置全体の小型化を図ることができる。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】特許請求の範囲
【補正対象項目名】全文
【補正方法】変更
【補正の内容】
【特許請求の範囲】
【請求項１】
内周面の少なくとも一箇所に第１位置決め凹部が設けられた金属製の時計ケースと、
この時計ケース内に収納されたハウジングの外周面に第２位置決め凹部が前記時計ケースの前記第１位置決め凹部に対応して設けられた時計モジュールと、
この時計モジュールの下面側に配置されて前記時計モジュールを前記時計ケース内に押える押え部材と、
この押え部材を覆い、かつ、前記金属製の時計ケースの一端開口を閉塞する金属製の裏蓋部材と、
前記時計ケースの前記第１位置決め凹部と前記時計モジュールの前記第２位置決め凹部との両者に跨って挿入して前記時計ケースに対する前記時計モジュールの位置決めをする位置規制部とを備え、
前記時計モジュールはアンテナを備えており、
前記押え部材のうちの前記アンテナに対応する位置には、開口部が設けられ、この開口部内には、渦電流防止用の磁気シートが配置されていることを特徴とする時計装置。
【請求項２】
前記押え部材は、前記時計モジュールの下面外周に沿うほぼリング形状に形成され、その所定箇所に前記位置規制部が一体に形成されていることを特徴とする請求項１に記載の時計装置。
【請求項３】
前記位置規制部は、前記時計ケースおよび前記時計モジュールの前記ハウジングよりも軟らかい材料で、且つ滑り性を有する材料で形成されていることを特徴とする請求項１または２に記載の時計装置。
【請求項４】
前記押え部材には、前記位置規制部のほかに、前記時計ケースに対する前記時計モジュールの横振れを阻止する振れ止め部が設けられていることを請求項１〜３のいずれかに記載の時計装置。